(57)【要約】【課題】 カーテンの吊り位置を上下に調整でき、フックが水平方向に所定角度首振り可能であり、組み立て容易で、堅牢なものを提供する。【解決手段】 フック体３の係合部４の前部に軸受け部５を設け、これに垂直方向の軸受け孔５ａを形成する。フック６には、軸受け孔５ａに回転可能に挿通される軸部９と、この軸部９の上方に連続するフック部１０と、軸部９の下端に設けられる抜け止め部１１とを具備させる。抜け止め部１１には、下端に係合爪１２ａを備えた複数の係合脚１２を具備させる。係合脚１２は、軸部９の下端から軸部９の円周方向に複数に分岐して下方へ伸び、相互に軸部９の半径方向に弾性的に収縮するように変位可能に構成する。係合爪１２ａは、軸部９を軸受け孔５ａに挿通させたときに、軸受け部５の下方へ突出して、係合脚１２の拡開により、軸受け部５の下端に係合するように構成する。【選択図】図１
2008125825.tif 000002
【特許請求の範囲】
【請求項１】
カーテンに取り付けられる本体と、ランナーに掛け止められるフック体とを具備し、
前記フック体は、前記本体に対しラチェット式に上下位置を調整可能に係合される係合部と、この係合部に対して垂直軸周りに回転可能に取り付けられるフックとを具備する合成樹脂製のカーテン吊り具において、
前記フック体は、前記係合部の前部に、垂直方向の軸受け孔を有する軸受け部をさらに具備し、
前記フックは、前記軸受け孔に回転可能に挿通される軸部と、この軸部の上方に連続するフック部と、軸部の下端に設けられる抜け止め部とを具備し、
前記抜け止め部は、下端に係合爪を備えた複数の係合脚を具備し、
前記係合脚は、前記軸部の下端から軸部の円周方向に複数に分岐して下方へ伸び、相互に前記軸部の半径方向に弾性的に収縮するように変位可能に構成され、
前記係合爪は、前記軸部を前記軸受け孔に挿通させたときに軸受け部の下方へ突出して、前記係合脚の拡開により軸受け部の下端に係合するように構成されることを特徴とするカーテン吊り具。
【請求項２】
前記フックの軸部の直径は、前記軸受け孔に対し所定の回転抵抗を持つように設定され、かつ当該軸部には、カーテンの取り付け面に対して左右にほぼ４５°の角度をなす位置で前記本体に当接して回転を阻止するストッパが設けられていることを特徴とするカーテン吊り具。前記挿通フックと、挿入部と溝部とを有する本体部と、を有するカーテン吊り具において、前記フックは、直線部と該直線部の端部に膨大部を有し、前記溝部に嵌入され、前記溝部は、前記直線部を回転可能に遊嵌する構造と前記膨大部を係止する構造を有することを特徴とする請求項１に記載のカーテン吊り具。
【発明の詳細な説明】
【技術分野】
【０００１】
この発明は、カーテンをカーテンレールのランナーに掛け止めるために用いられるカーテン吊り具に関する。
【背景技術】
【０００２】
カーテンをカーテンレールの真下に吊るような場合、カーテンは、平面視においてカーテンレールを軸としてほぼ正弦波状に波打つ状態で窓際へ収束されることになる。このようなカーテンに使用されるカーテン吊り具は、カーテンを窓際へ収束させたときに、カーテンの波に沿って水平方向左右に交互に所定角度回転した状態に配置されることになる。このため、カーテンランナーに無理な水平方向回転力が加わったり、カーテンの波の形状がカーテン吊り具の部分で変形し、美しく連続しなくなったりするという問題点がある。このような問題点を解決するためのカーテン吊り具として、特許文献１に記載されたものが知られている。このカーテン吊り具においては、フックが、本体部に回転可能に取り付けられている。フックは、直線部と直線部の端部に膨大部を有し、本体部の溝部に嵌入され、溝部は、フックの直線部を回転可能に遊嵌する突縁と膨大部を係止する顎部とを有する。
【特許文献１】特開２００３−１２５９２４号公報
【発明の開示】
【発明が解決しようとする課題】
【０００３】
上記従来のカーテン吊り具は、本体部の前面側又は後面側に開放した縦方向の係合溝にフックの直線部を前後方向に嵌め込むものであるから、外力によりフックが容易に脱落してしまうという問題点がある。本体に対してフックをラチェット式に上下移動調整できる形式のカーテン吊り具への適用例については、特許文献１の図９に示されているが、具体的構造は開示されていない。
したがって、この発明は、本体に対してフック体の上下位置を移動調整できるカーテン吊り具であって、なおかつフックが、本体に対して水平方向に所定角度首振り可能であり、組み立て容易で、堅牢なものを提供することを課題とする。
【課題を解決するための手段】
【０００４】
上記課題を解決するため、この発明においては、フック体３に、本体２に対しラチェット式に上下位置を調整可能に係合される係合部４と、この係合部４に対して垂直軸周りに回転可能に取り付けられるフック６とを具備させて合成樹脂製のカーテン吊り具１を構成する。フック体３の係合部４の前部には、軸受け部５を設け、これに垂直方向の軸受け孔５ａを形成する。フック６には、軸受け孔５ａに回転可能に挿通される軸部９と、この軸部９の上方に連続するフック部１０と、軸部９の下端に設けられる抜け止め部１１とを具備させる。抜け止め部１１には、下端に係合爪１２ａを備えた複数の係合脚１２を具備させる。係合脚１２は、軸部９の下端から軸部９の円周方向に複数に分岐して下方へ伸び、相互に軸部９の半径方向に弾性的に収縮するように変位可能に構成する。係合爪１２ａは、軸部９を軸受け孔５ａに挿通させたときに、軸受け部５の下方へ突出して、係合脚１２の拡開により、軸受け部５の下端に係合するように構成する。
【発明の効果】
【０００５】
本体２に対してフック体３の上下位置を調整できるので、カーテンＣの上下位置調整が容易である。フック６を左右に所定角度回転させた位置に配置できるので、カーテンＣを窓際へ収束させた状態でも、カーテン吊り具１やカーテンランナーに無理な力が加わることがない。また収束状態においても、展開状態においても、カーテンの良好なウェーブを保持することができる。フック６は、上方から軸受け孔５ａ内に押し込むだけで容易に組み込むことができ、いったん軸受け部５に挿入されると抜け出ることがなく、使用中に外力により外れるおそれがない。
【発明を実施するための最良の形態】
【０００６】
図面を参照して本発明の実施の形態を説明する。図１は本発明に係るカーテン吊り具の正面図、図２はフック体の正面図、図３はフック体の左側面図、図４はフック体の右側面図、図５はフック体の平面図、図６はフックを除去したフック体の平面図、図７はフック体の底面図、図８はフックの正面図、図９はフックの左側面図、図１０はフックの平面図、図１１はフックの底面図、図１２フックを左右に所定角度回転させた状態で装着した状態を示す平面図、図１３はカーテンの取り付け状態をカーテンの上方から見た平面図である。
【０００７】
図１において、カーテン吊り具１は、弾性合成樹脂製で、カーテンに取り付けられる本体２と、ランナーに掛け止められるフック体３とを具備する。
【０００８】
図１、図２において、フック体３は、係合部４と、軸受け部５と、フック６とを具備する。係合部４は、本体のラチェット歯列７に対し上下位置を調整できるように係合するラチェット爪８を備える。軸受け部５は、係合部４の前部に一体に配置され、垂直方向の軸受け孔５ａ(図６)を有する。
【０００９】
図８ないし図１１に示すように、フック６は、軸受け孔５ａに回転可能に挿通される丸棒状の軸部９と、この軸部９の上方に連続するフック部１０と、軸部９の下端に設けられる抜け止め部１１とを具備する。
【００１０】
抜け止め部１１は、下端に係合爪１２ａを備えた複数の係合脚１２を具備する。係合脚１２は、軸部９の下端から、軸部９の円周方向に４本に分岐して下方へ伸び、相互に軸部９の半径方向に弾性的に収縮するように変位可能である。
【００１１】
抜け止め部１１は、係合脚１２を半径方向に収縮させた状態で軸受け孔５ａに挿通可能である。係合爪１２ａは、軸部９を軸受け孔５ａに挿通させたときに、軸受け部５の下方へ突出し、係合脚１２の拡開により、軸受け部５の下端に係合する(図２)ように構成される。
【００１２】
フックの軸部９の直径は、軸受け孔５ａに対し所定の回転抵抗を持つように設定される。軸部９の上端には、カーテンＣの取り付け面に対して左右にほぼ４５°の角度をなす位置で本体２の側面に当接して回転を阻止するストッパ９ａが設けられる。
【００１３】
次に、本発明に係るカーテン吊り具１によるカーテンＣの懸架方法について説明する。図１３は、カーテンの取り付け状態をカーテンの上方から見た平面図であり、（ａ）はカーテンを窓際へ寄せて収束させた状態を示す。
カーテン吊り具１は等間隔でカーテンＣに装着される。カーテン吊り具１は、カーテンＣ上の並び方向に交互に、図１２に示すように、本体２に対して左又は右へフック６を回転させた状態でカーテンＣに装着される。カーテン吊り具１のフック６は、カーテンレールＲ内を摺動する図示しないカーテンランナーの吊り環に掛けられる。
【００１４】
カーテンを窓に沿って展開させると、カーテンＣは平面的にならず、図１３（ｂ）に示すように、フック６の向きにしたがって、ほぼ正弦波状の緩いウェーブを持った状態となる。したがって、開閉状態にかかわらず、カーテン吊り具１やカーテンランナーに無理な力が加わることなく、しかも、良好なウェーブを保持することができる。
【００１５】
なお、フック６は、上方から軸受け孔５ａ内に押し込むだけで容易に組み込むことができ、いったん軸受け部５に挿入されると抜け出ることがなく、使用中に外力により外れるおそれがない。
【図面の簡単な説明】
【００１６】
【図１】本発明に係るカーテン吊り具の正面図である。
【図２】フック体の正面図である。
【図３】フック体の左側面図である。
【図４】フック体の右側面図である。
【図５】フック体の平面図である。
【図６】フックを除去したフック体の平面図である。。
【図７】フック体の底面図である。
【図８】フックの正面図である。
【図９】フックの左側面図である。
【図１０】フックの平面図である。
【図１１】フックの底面図である。
【図１２】フックを左右に所定角度回転させた状態で装着した状態を示す平面図である。
【図１３】カーテンの取り付け状態をカーテンの上方から見た平面図である。
【符号の説明】
【００１７】
１    カーテン吊り具
２    本体
３    フック体
４    係合部
５    軸受け部
５ａ  軸受け孔
６    フック
７    ラチェット歯列
８    ラチェット爪
９    軸部
１０  フック部
１１  抜け止め部
１２  係合脚
１２ａ  係合爪
Ｃ      カーテン
【図１】
2008125825.tif 000003
【図２】
2008125825.tif 000004
【図３】
2008125825.tif 000005
【図４】
2008125825.tif 000006
【図５】
2008125825.tif 000007
【図６】
2008125825.tif 000008
【図７】
2008125825.tif 000009
【図８】
2008125825.tif 000010
【図９】
2008125825.tif 000011
【図１０】
2008125825.tif 000012
【図１１】
2008125825.tif 000013
【図１２】
2008125825.tif 000014
【図１３】
2008125825.tif 000015